(57)【特許請求の範囲】
【請求項１】
液晶ディスプレイパネルの信号制御回路であって、パルス幅変調モジュール、分圧モジュール及びスイッチングトランジスタを含み、
前記分圧モジュールの入力端子が制御信号にアクセスし、前記分圧モジュールの出力端子が前記パルス幅変調モジュールの入力端子に接続され、前記スイッチングトランジスタが前記パルス幅変調モジュールの出力端子と前記分圧モジュールの入力端子との間に接続され、
前記パルス幅変調モジュールは少なくともセレクターを含み、
前記分圧モジュールは、
第１電圧値を提供することに用いられる定電流駆動サブモジュールと、
第２電圧値を提供することに用いられる定電圧駆動サブモジュールと、を含み、
前記セレクターと前記スイッチングトランジスタとの間に第３増幅器が設置され、前記第３増幅器の第１入力端子が前記セレクターの出力端子に接続され、前記第３増幅器の第２入力端子が接地し、前記第３増幅器の出力端子が前記スイッチングトランジスタの制御端子に接続され、
前記定電流駆動サブモジュールと前記定電圧駆動サブモジュールが選択的にオンし、
前記セレクターは前記液晶ディスプレイパネルの起動時間に基づき、前記第１電圧値又は前記第２電圧値を選択して前記スイッチングトランジスタのデューティサイクルを制御し、更に前記定電流駆動サブモジュール又は前記定電圧駆動サブモジュールを選択してオンすることに用いられる液晶ディスプレイパネルの信号制御回路。
【請求項２】
前記定電流駆動サブモジュールは順に直列接続されるインダクタ、ダイオード、第１抵抗器、減算器及び第１増幅器を含み、前記インダクタの入力端子が前記制御信号にアクセスし、
前記第１抵抗器の入力端子が前記減算器の第１入力端子に接続され、前記第１抵抗器の出力端子が前記減算器の第２入力端子に接続され、前記減算器の出力端子が前記第１増幅器の第１入力端子に接続され、前記第１増幅器の第２入力端子に第１基準電圧が入力され、前記第１増幅器の出力端子が前記セレクターの第１入力端子に接続される請求項１に記載の信号制御回路。
【請求項３】
前記定電圧駆動サブモジュールは順に直列接続される第２抵抗器、第３抵抗器、第４抵抗器及び第２増幅器を含み、
前記第２抵抗器の入力端子が前記第１抵抗器の出力端子に接続され、前記第４抵抗器の出力端子が接地し、前記第３抵抗器の出力端子が前記第２増幅器の第１入力端子に接続され、前記第２増幅器の第２入力端子に第２基準電圧が入力され、前記第２増幅器の出力端子が前記セレクターの第２入力端子に接続される請求項２に記載の信号制御回路。
【請求項４】
前記第１抵抗器の出力端子と前記第２抵抗器の入力端子との間に第１コンデンサと第２コンデンサが設置され、前記第１コンデンサと前記第２コンデンサの一端が接地する請求項３に記載の信号制御回路。
【請求項５】
液晶ディスプレイパネルの信号制御回路であって、パルス幅変調モジュール、分圧モジュール及びスイッチングトランジスタを含み、
前記分圧モジュールの入力端子が制御信号にアクセスし、前記分圧モジュールの出力端子が前記パルス幅変調モジュールの入力端子に接続され、前記スイッチングトランジスタが前記パルス幅変調モジュールの出力端子と前記分圧モジュールの入力端子との間に接続され、
前記パルス幅変調モジュールは少なくともセレクターを含み、
前記分圧モジュールは、
第１電圧値を提供することに用いられる定電流駆動サブモジュールと、
第２電圧値を提供することに用いられる定電圧駆動サブモジュールと、を含み、
前記定電流駆動サブモジュールと前記定電圧駆動サブモジュールが選択的にオンし、
前記セレクターは前記液晶ディスプレイパネルの起動時間に基づき、前記第１電圧値又は前記第２電圧値を選択して前記スイッチングトランジスタのデューティサイクルを制御し、更に前記定電流駆動サブモジュール又は前記定電圧駆動サブモジュールを選択してオンすることに用いられる液晶ディスプレイパネルの信号制御回路。
【請求項６】
前記定電流駆動サブモジュールは順に直列接続されるインダクタ、ダイオード、第１抵抗器、減算器及び第１増幅器を含み、前記インダクタの入力端子が前記制御信号にアクセスし、
前記第１抵抗器の入力端子が前記減算器の第１入力端子に接続され、前記第１抵抗器の出力端子が前記減算器の第２入力端子に接続され、前記減算器の出力端子が前記第１増幅器の第１入力端子に接続され、前記第１増幅器の第２入力端子に第１基準電圧が入力され、前記第１増幅器の出力端子が前記セレクターの第１入力端子に接続される請求項５に記載の信号制御回路。
【請求項７】
前記定電圧駆動サブモジュールは順に直列接続される第２抵抗器、第３抵抗器、第４抵抗器及び第２増幅器を含み、
前記第２抵抗器の入力端子が前記第１抵抗器の出力端子に接続され、前記第４抵抗器の出力端子が接地し、前記第３抵抗器の出力端子が前記第２増幅器の第１入力端子に接続され、前記第２増幅器の第２入力端子に第２基準電圧が入力され、前記第２増幅器の出力端子が前記セレクターの第２入力端子に接続される請求項６に記載の信号制御回路。
【請求項８】
前記第１抵抗器の出力端子と前記第２抵抗器の入力端子との間に第１コンデンサと第２コンデンサが設置され、前記第１コンデンサと前記第２コンデンサの一端が接地する請求項７に記載の信号制御回路。
【請求項９】
液晶ディスプレイパネルであって、それはディスプレイパネル本体及び信号制御回路を含み、前記信号制御回路はパルス幅変調モジュール、分圧モジュール及びスイッチングトランジスタを含み、
前記分圧モジュールの入力端子が制御信号にアクセスし、前記分圧モジュールの出力端子が前記パルス幅変調モジュールの入力端子に接続され、前記スイッチングトランジスタが前記パルス幅変調モジュールの出力端子と前記分圧モジュールの入力端子との間に接続され、
前記パルス幅変調モジュールは少なくともセレクターを含み、
前記分圧モジュールは
第１電圧値を提供することに用いられる定電流駆動サブモジュールと、
第２電圧値を提供することに用いられる定電圧駆動サブモジュールと、を含み、
前記定電流駆動サブモジュールと前記定電圧駆動サブモジュールが選択的にオンし、
前記セレクターは前記液晶ディスプレイパネルの起動時間に基づき、前記第１電圧値又は前記第２電圧値を選択して前記スイッチングトランジスタのデューティサイクルを制御し、更に前記定電流駆動サブモジュール又は前記定電圧駆動サブモジュールを選択してオンする液晶ディスプレイパネル。
【請求項１０】
前記定電流駆動サブモジュールは順に直列接続されるインダクタ、ダイオード、第１抵抗器、減算器及び第１増幅器を含み、前記インダクタの入力端子が前記制御信号にアクセスし、
前記第１抵抗器の入力端子が前記減算器の第１入力端子に接続され、前記第１抵抗器の出力端子が前記減算器の第２入力端子に接続され、前記減算器の出力端子が前記第１増幅器の第１入力端子に接続され、前記第１増幅器の第２入力端子に第１基準電圧が入力され、前記第１増幅器の出力端子が前記セレクターの第１入力端子に接続される請求項９に記載の液晶ディスプレイパネル。
【請求項１１】
前記定電圧駆動サブモジュールは順に直列接続される第２抵抗器、第３抵抗器、第４抵抗器及び第２増幅器を含み、
前記第２抵抗器の入力端子が前記第１抵抗器の出力端子に接続され、前記第４抵抗器の出力端子が接地し、前記第３抵抗器の出力端子が前記第２増幅器の第１入力端子に接続され、前記第２増幅器の第２入力端子に第２基準電圧が入力され、前記第２増幅器の出力端子が前記セレクターの第２入力端子に接続される請求項１０に記載の液晶ディスプレイパネル。
【発明の詳細な説明】
【技術分野】
【０００１】
本発明は液晶表示の技術分野に関し、特に信号制御回路及び前記信号制御回路を有する液晶ディスプレイパネルに関する。
【背景技術】
【０００２】
近年、液晶ディスプレイパネルの寸法がますます大きくなり、液晶ディスプレイパネルの駆動回路では、チャンネルごとに抽出される電流もますます大きくなり、且つ、回路における各電圧のリップルの大きさも明確に定義されているため、各電圧の電圧安定化コンデンサがますます大きくなる。
【０００３】
各電圧安定化コンデンサに対して、起動中に各コンデンサを充電する必要があるが、各コンデンサの容量値が大きすぎ、且つ起動時に各電流変換器が所定電圧に達しておらず、また信号デューティサイクルも比較的小さい。そのため、大電流が生じ、インダクタ電流が急激に増大することを引き起こし、出力電圧を設定値にすることが困難となり、回路異常時の過電流保護等の問題をもたらす。
【０００４】
以上のように、従来の液晶ディスプレイパネルの信号制御回路は、起動の瞬間に、インダクタに大電流が生じ、更に過電流保護トリガーを引き起こすため、電流が下げられて液晶ディスプレイパネルを正常に起動できない。
【発明の概要】
【発明が解決しようとする課題】
【０００５】
本発明は起動時の過電流保護の誤トリガーによって正常に起動できないことを回避できる液晶ディスプレイパネルの信号制御回路であって、従来の液晶ディスプレイパネルの信号制御回路が起動の瞬間にインダクタに大電流が生じ、更に過電流保護トリガーを引き起こし、電流が下げられて液晶ディスプレイパネルを正常に起動できないことを解決する液晶ディスプレイパネルの信号制御回路を提供する。
【課題を解決するための手段】
【０００６】
上記課題を解決するために、本発明が提供する技術的手段は以下の通りである。
【０００７】
本発明は液晶ディスプレイパネルの信号制御回路を提供し、パルス幅変調モジュール、分圧モジュール及びスイッチングトランジスタを含み、前記分圧モジュールの入力端子が制御信号にアクセスし、前記分圧モジュールの出力端子が前記パルス幅変調モジュールの入力端子に接続され、前記スイッチングトランジスタが前記パルス幅変調モジュールの出力端子と前記分圧モジュールの入力端子との間に接続され、前記パルス幅変調モジュールは少なくともセレクターを含み、前記分圧モジュールは、第１電圧値を提供することに用いられる定電流駆動サブモジュールと、第２電圧値を提供することに用いられる定電圧駆動サブモジュールと、を含み、前記セレクターと前記スイッチングトランジスタとの間に第３増幅器が設置され、前記第３増幅器の第１入力端子が前記セレクターの出力端子に接続され、前記第３増幅器の第２入力端子が接地し、前記第３増幅器の出力端子が前記スイッチングトランジスタの制御端子に接続され、前記定電流駆動サブモジュールと前記定電圧駆動サブモジュールが選択的にオンし、前記セレクターは前記液晶ディスプレイパネルの起動時間に基づき、前記第１電圧値又は前記第２電圧値を選択して前記スイッチングトランジスタのデューティサイクルを制御し、更に前記定電流駆動サブモジュール又は前記定電圧駆動サブモジュールを選択してオンすることに用いられる。
【０００８】
本発明の一好適な実施例において、前記分圧モジュールはさらに分圧端子を含み、前記分圧端子がレベル変換モジュールに接続される。
【０００９】
本発明の一好適な実施例において、前記定電流駆動サブモジュールは順に直列接続されるインダクタ、ダイオード、第１抵抗器、減算器及び第１増幅器を含み、前記インダクタの入力端子が前記制御信号にアクセスし、前記第１抵抗器の入力端子が前記減算器の第１入力端子に接続され、前記第１抵抗器の出力端子が前記減算器の第２入力端子に接続され、前記減算器の出力端子が前記第１増幅器の第１入力端子に接続され、前記第１増幅器の第２入力端子に第１基準電圧が入力され、前記第１増幅器の出力端子が前記セレクターの第１入力端子に接続される。
【００１０】
本発明の一好適な実施例において、前記定電圧駆動サブモジュールは順に直列接続される第２抵抗器、第３抵抗器、第４抵抗器及び第２増幅器を含み、前記第２抵抗器の入力端子が前記第１抵抗器の出力端子に接続され、前記第４抵抗器の出力端子が接地し、前記第３抵抗器の出力端子が前記第２増幅器の第１入力端子に接続され、前記第２増幅器の第２入力端子に第２基準電圧が入力され、前記第２増幅器の出力端子が前記セレクターの第２入力端子に接続される。
【００１１】
本発明の一好適な実施例において、前記第１抵抗器の出力端子と前記第２抵抗器の入力端子との間に第１コンデンサと第２コンデンサが設置され、前記第１コンデンサと前記第２コンデンサの一端が接地する。
【００１２】
本発明はさらに別の液晶ディスプレイパネルの信号制御回路を提供し、パルス幅変調モジュール、分圧モジュール及びスイッチングトランジスタを含み、前記分圧モジュールの入力端子が制御信号にアクセスし、前記分圧モジュールの出力端子が前記パルス幅変調モジュールの入力端子に接続され、前記スイッチングトランジスタが前記パルス幅変調モジュールの出力端子と前記分圧モジュールの入力端子との間に接続され、前記パルス幅変調モジュールは少なくともセレクターを含み、前記分圧モジュールは、第１電圧値を提供することに用いられる定電流駆動サブモジュールと、第２電圧値を提供することに用いられる定電圧駆動サブモジュールと、を含み、前記定電流駆動サブモジュールと前記定電圧駆動サブモジュールが選択的にオンし、前記セレクターは前記液晶ディスプレイパネルの起動時間に基づき、前記第１電圧値又は前記第２電圧値を選択して前記スイッチングトランジスタのデューティサイクルを制御し、更に前記定電流駆動サブモジュール又は前記定電圧駆動サブモジュールを選択してオンすることに用いられる。
【００１３】
本発明の一好適な実施例において、前記分圧モジュールはさらに分圧端子を含み、前記分圧端子がレベル変換モジュールに接続される。
【００１４】
本発明の一好適な実施例において、前記定電流駆動サブモジュールは順に直列接続されるインダクタ、ダイオード、第１抵抗器、減算器及び第１増幅器を含み、前記インダクタの入力端子が前記制御信号にアクセスし、前記第１抵抗器の入力端子が前記減算器の第１入力端子に接続され、前記第１抵抗器の出力端子が前記減算器の第２入力端子に接続され、前記減算器の出力端子が前記第１増幅器の第１入力端子に接続され、前記第１増幅器の第２入力端子に第１基準電圧が入力され、前記第１増幅器の出力端子が前記セレクターの第１入力端子に接続される。
【００１５】
本発明の一好適な実施例において、前記定電圧駆動サブモジュールは順に直列接続される第２抵抗器、第３抵抗器、第４抵抗器及び第２増幅器を含み、前記第２抵抗器の入力端子が前記第１抵抗器の出力端子に接続され、前記第４抵抗器の出力端子が接地し、前記第３抵抗器の出力端子が前記第２増幅器の第１入力端子に接続され、前記第２増幅器の第２入力端子に第２基準電圧が入力され、前記第２増幅器の出力端子が前記セレクターの第２入力端子に接続される。
【００１６】
本発明の一好適な実施例において、前記第１抵抗器の出力端子と前記第２抵抗器の入力端子との間に第１コンデンサと第２コンデンサが設置され、前記第１コンデンサと前記第２コンデンサの一端が接地する。
【００１７】
本発明の上記目的に基づき、液晶ディスプレイパネルを提案し、ディスプレイパネル本体及び信号制御回路を含み、前記信号制御回路はパルス幅変調モジュール、分圧モジュール及びスイッチングトランジスタを含み、前記分圧モジュールの入力端子が制御信号にアクセスし、前記分圧モジュールの出力端子が前記パルス幅変調モジュールの入力端子に接続され、前記スイッチングトランジスタが前記パルス幅変調モジュールの出力端子と前記分圧モジュールの入力端子との間に接続され、前記パルス幅変調モジュールは少なくともセレクターを含み、前記分圧モジュールは、第１電圧値を提供することに用いられる定電流駆動サブモジュールと、第２電圧値を提供することに用いられる定電圧駆動サブモジュールと、を含み、前記定電流駆動サブモジュールと前記定電圧駆動サブモジュールが選択的にオンし、前記セレクターは前記液晶ディスプレイパネルの起動時間に基づき、前記第１電圧値又は前記第２電圧値を選択して前記スイッチングトランジスタのデューティサイクルを制御し、更に前記定電流駆動サブモジュール又は前記定電圧駆動サブモジュールを選択してオンする。
【００１８】
本発明の一好適な実施例において、前記分圧モジュールはさらに分圧端子を含み、前記分圧端子がレベル変換モジュールに接続される。
【００１９】
本発明の一好適な実施例において、前記定電流駆動サブモジュールは順に直列接続されるインダクタ、ダイオード、第１抵抗器、減算器及び第１増幅器を含み、前記インダクタの入力端子が前記制御信号にアクセスし、前記第１抵抗器の入力端子が前記減算器の第１入力端子に接続され、前記第１抵抗器の出力端子が前記減算器の第２入力端子に接続され、前記減算器の出力端子が前記第１増幅器の第１入力端子に接続され、前記第１増幅器の第２入力端子に第１基準電圧が入力され、前記第１増幅器の出力端子が前記セレクターの第１入力端子に接続される。
【００２０】
本発明の一好適な実施例において、前記定電圧駆動サブモジュールは順に直列接続される第２抵抗器、第３抵抗器、第４抵抗器及び第２増幅器を含み、前記第２抵抗器の入力端子が前記第１抵抗器の出力端子に接続され、前記第４抵抗器の出力端子が接地し、前記第３抵抗器の出力端子が前記第２増幅器の第１入力端子に接続され、前記第２増幅器の第２入力端子に第２基準電圧が入力され、前記第２増幅器の出力端子が前記セレクターの第２入力端子に接続される。
【発明の効果】
【００２１】
本発明の有益な効果について、従来の液晶ディスプレイパネルの信号制御回路に比べて、本発明が提供する信号制御回路は、起動時に定電流モードを開始することで、起動電圧が保護状態に下げられて正常に起動できないことを回避でき、従来の液晶ディスプレイパネルの信号制御回路では起動の瞬間にインダクタに大電流が生じ、更に過電流保護トリガーを引き起こし、電流が下げられて液晶ディスプレイパネルを正常に起動できないという技術的課題を解決する。
【００２２】
実施例又は従来技術の技術的手段をより明瞭に説明するために、以下、実施例又は従来技術の説明に必要な図面を簡単に説明し、明らかなように、以下説明される図面は単に発明のいくつかの実施例であり、当業者は創造的な努力をせずにこれらの図面に基づきほかの図面を取得できる。
【図面の簡単な説明】
【００２３】
【図１】図１は本発明の液晶ディスプレイパネルの信号制御回路の構造模式図である。
【発明を実施するための形態】
【００２４】
以下、各実施例は添付図面を参照して説明され、本発明を実施できる特定の実施例を例示するためのものである。本発明に係る方向用語、例えば「上」、「下」、「前」、「後」、「左」、「右」、「内」、「外」、「側面」等は単に添付図面を参照する方向に過ぎない。従って、使用される方向用語は本発明を説明及び理解するためのものであり、本発明を制限するものではない。図中、構造が類似するユニットは同一符号で示されている。
【００２５】
本発明は従来の液晶ディスプレイパネルの信号制御回路では起動の瞬間にインダクタに大電流が生じ、更に過電流保護トリガーを引き起こし、電流が下げられて液晶ディスプレイパネルを正常に起動できない技術的課題に対してなされ、本実施例は該欠陥を解決できる。
【００２６】
図１に示すように、本発明は液晶ディスプレイパネルの信号制御回路を提供し、パルス幅変調モジュール１０１、分圧モジュール及びスイッチングトランジスタＱ１を含み、前記分圧モジュールの入力端子が制御信号にアクセスし、前記分圧モジュールの出力端子が前記パルス幅変調モジュール１０１の入力端子に接続され、前記スイッチングトランジスタＱ１が前記パルス幅変調モジュール１０１の出力端子と前記分圧モジュールの入力端子との間に接続される。
【００２７】
前記パルス幅変調モジュール１０１はセレクター１０１１及び増幅器を含み、前記分圧モジュールは定電流駆動サブモジュール１０２及び定電圧駆動サブモジュール１０３を含む。
【００２８】
前記定電流駆動サブモジュール１０２は順に直列接続されるインダクタＬ１、ダイオードＤ１、第１抵抗器Ｒ１、減算器１０４及び第１増幅器１０５を含み、前記インダクタＬ１の入力端子が前記制御信号にアクセスし、前記第１抵抗器Ｒ１の入力端子が前記減算器１０４の第１入力端子に接続され、前記第１抵抗器Ｒ１の出力端子が前記減算器１０４の第２入力端子に接続され、前記減算器１０４の出力端子が前記第１増幅器１０５の第１入力端子に接続され、前記第１増幅器１０５の第２入力端子に第１基準電圧Ｖｒｅｆ１が入力され、前記第１増幅器１０５の出力端子が前記セレクター１０１１の第１入力端子に接続される。
【００２９】
制御信号が信号制御回路に入った後、電流が前記インダクタＬ１及び前記ダイオードＤ１によって整流されて前記減算器１０４の第１入力端子及び前記第１抵抗器Ｒ１に入り、電流が前記第１抵抗器Ｒ１を流れて前記減算器１０４の第２入力端子に入り、上記第１抵抗器Ｒ１を流れた電流が相対的に小さく、前記減算器１０４の２つの入力端子がそれぞれ異なる電流を受け、演算増幅して第１電圧Ｖ１を出力し、前記第１電圧Ｖ１が前記第１増幅器１０５の第１入力端子に入り、前記第１増幅器１０５が前記第１電圧Ｖ１と前記第１基準電圧Ｖｒｅｆ１を演算増幅して第４電圧Ｖ４を出力し、前記第４電圧Ｖ４が前記セレクター１０１１の第１入力端子に入る。
【００３０】
前記定電圧駆動サブモジュール１０３は順に直列接続される第２抵抗器Ｒ２、第３抵抗器Ｒ３、第４抵抗器Ｒ４及び第２増幅器１０６を含み、前記第２抵抗器Ｒ２の入力端子が前記第１抵抗器Ｒ１の出力端子に接続され、前記第４抵抗器Ｒ４の出力端子が接地し、前記第３抵抗器Ｒ３の出力端子が前記第２増幅器１０６の第１入力端子に接続され、前記第２増幅器１０６の第２入力端子に第２基準電圧Ｖｒｅｆ２が入力され、前記第２増幅器１０６の出力端子が前記セレクター１０１１の第２入力端子に接続される。
【００３１】
前記第１抵抗器Ｒ１の出力端子と前記第２抵抗器Ｒ２の入力端子との間に第１コンデンサＣ１と第２コンデンサＣ２が設置され、前記第１コンデンサＣ１と前記の第２コンデンサＣ２の一端が接地する。
【００３２】
前記セレクター１０１１と前記スイッチングトランジスタＱ１との間に第３増幅器１０７が設置され、前記第３増幅器１０７の第１入力端子が前記セレクター１０１１の出力端子に接続され、前記第３増幅器１０７の第２入力端子が接地し、前記第３増幅器１０７の出力端子が前記スイッチングトランジスタＱ１の制御端子に接続される。
【００３３】
制御信号が信号制御回路に入った後、電流が順に前記インダクタＬ１、前記ダイオードＤ１及び前記第１抵抗器Ｒ１を流れて前記第１コンデンサＣ１及び前記第２コンデンサＣ２を充電し、電圧が徐々に上昇し、前記第２抵抗器Ｒ２、第３抵抗器Ｒ３及び第４抵抗器Ｒ４が定電圧モードを形成し、前記第３抵抗器Ｒ３が第２電圧Ｖ２を前記第２増幅器１０６の第１入力端子に出力し、前記第２増幅器１０６が前記第２電圧Ｖ２と前記第２基準電圧Ｖｒｅｆ２を演算増幅して第３電圧Ｖ３を前記セレクター１０１１の第２入力端子に出力する。
【００３４】
前記セレクター１０１１は前記定電流駆動サブモジュール１０２によって出力される第４電圧Ｖ４、及び前記定電圧駆動サブモジュール１０３によって出力される第４電圧Ｖ４を受信し、前記セレクター１０１１は起動時間に基づき一方の電圧値を選択して出力し、前記第３増幅器１０７によって計算された後制御信号を出力し、前記制御信号は前記スイッチングトランジスタＱ１のデューティサイクルを決定し、前記スイッチングトランジスタＱ１のデューティサイクルが５０％よりも大きい場合、前記定電流駆動サブモジュール１０２を起動し、前記スイッチングトランジスタＱ１のデューティサイクルが５０％未満である場合、前記定電圧駆動サブモジュール１０３を起動する。
【００３５】
例えば、起動時間閾値を設定し、前記起動時間閾値よりも前の場合、前記定電流駆動モジュールを選択してオンし、前記起動時間閾値よりも後の場合、前記定電流駆動モジュールを選択してオンする。
【００３６】
起動時、定電流駆動モードで駆動回路をオンし、それにより正常に起動でき、起動後、定電圧駆動モードに切り替えて液晶ディスプレイパネルの正常表示を駆動する。
【００３７】
上記の発明の目的に基づき、液晶ディスプレイパネルであって、ディスプレイパネル本体及び信号制御回路を含む液晶ディスプレイパネルを提案し、前記信号制御回路は、パルス幅変調モジュール、分圧モジュール及びスイッチングトランジスタを含み、前記分圧モジュールの入力端子が制御信号にアクセスし、前記分圧モジュールの出力端子が前記パルス幅変調モジュールの入力端子に接続され、前記スイッチングトランジスタが前記パルス幅変調モジュールの出力端子と前記分圧モジュールの入力端子との間に接続され、前記パルス幅変調モジュールは少なくともセレクターを含み、前記分圧モジュールは、第１電圧値を提供することに用いられる定電流駆動サブモジュールと、第２電圧値を提供することに用いられる定電圧駆動サブモジュールと、を含み、前記定電流駆動サブモジュールと前記定電圧駆動サブモジュールが選択的にオンし、前記セレクターは前記液晶ディスプレイパネルの起動時間に基づき、前記第１電圧値又は前記第２電圧値を選択して前記スイッチングトランジスタのデューティサイクルを制御し、更に前記定電流駆動サブモジュール又は前記定電圧駆動サブモジュールを選択してオンする。
【００３８】
本好適な実施例の液晶ディスプレイパネルの動作原理は上記好適な実施例の液晶ディスプレイパネルの信号制御回路の動作原理と同じであり、具体的には、上記好適な実施例の液晶ディスプレイパネルの信号制御回路の動作原理を参照できるため、ここでは重複説明を省略する。
【００３９】
本発明の有益な効果について、従来の液晶ディスプレイパネルの信号制御回路に比べて、本発明が提供する信号制御回路は、起動時に定電流モードを開始することで、起動電圧が保護状態に下げられて正常に起動できないことを回避でき、従来の液晶ディスプレイパネルの信号制御回路では起動の瞬間にインダクタに大電流が生じ、更に過電流保護トリガーを引き起こし、電流が下げられて液晶ディスプレイパネルを正常に起動できないという技術的課題を解決する。
【００４０】
以上、好適な実施例をもって本発明を開示したが、上記好適な実施例は本発明を制限するものではなく、当業者は本発明の精神及び範囲を逸脱せずに種々の変更や修飾を行うことができ、従って本発明の保護範囲は特許請求の範囲に定められる範囲に準じる。
【符号の説明】
【００４１】
１０１  パルス幅変調モジュール
１０２  定電流駆動サブモジュール
１０３  定電圧駆動サブモジュール
１０４  減算器
１０５  第１増幅器
１０６  第２増幅器
１０７  第３増幅器
１０１１  セレクター
【図１】
0006858923.tif 000002